(57)【特許請求の範囲】
【請求項１】
外部とデータ送受信を行う移動通信端末装置において、
この装置は、送受信されるデータを含む情報の表示動作および／または照光動作を行う表示装置を備え、
表示動作中の表示画面から別の表示画面へと変更する表示要求を外部に送出したとき、タイマが動作を開始し、キー入力の有無にかかわらず所定時間経過すると表示装置の動作を停止させる表示装置制御手段を備え、
前記表示装置制御手段は、所定時間以内に要求したデータの受信が開始されたとき、前記タイマをリセットして、表示装置の動作を停止させない手段、を含んで構成されることを特徴とする移動通信端末装置。
【請求項２】
請求項１に記載の移動通信端末装置において、
前記表示装置は、ＬＣＤ(液晶表示画面)およびこのＬＣＤの照光装置とを含んで構成されることを特徴とする移動通信端末装置。
【発明の詳細な説明】
【０００１】
【発明の属する技術分野】
本発明は、携帯電話機・ＰＨＳ・モバイル電子機器等の移動通信端末装置に係り、より詳細には、これら装置が備える表示装置（ＬＣＤ等による画面表示装置や照光装置）の動作を制御できる機能を有する移動通信端末装置に関するものである。
【０００２】
【従来の技術】
従来から、電話網やインターネット網を使用して、テキストデータ・画像データ・音声データ等種々の情報データ類の送受信を行なうことができる移動通信端末装置は多く存在している。
一例として、あるユーザが携帯電話機を使用し、何かのホームページを閲覧していたとする。このホームページ閲覧中に別のページを見ようとしたり、また、ページ内のリンクを辿って別画面に移ろうとしたときには、ユーザの使用している携帯電話機の表示画面に、次の新たに画面表示されるべきデータが届くのには、しばらく時間がかかることがある。このような状況では、次の新たな画面が表示されるまで、ユーザはそのままずっと表示画面をつけっ放しの状態にして、かかるデータが送信されるのを待っていた。しかしながら、表示画面をつけたままにしておくのは、電力を無駄に消費していることである。
【０００３】
ここで、ユーザの携帯電話機の表示画面がＬＣＤ(液晶ディスプレー)からなるものを搭載しているなら、ＬＣＤを照光させるためのバックライトまたはフロントライトを点灯させ続けているということである。そこで、このようなバッテリーを余計に消費してしまうことがないようにする技術としては、「キー操作を行ってから、所定時間（Ｘ秒）経過すると、キー部及び表示部の照光を消灯させる機能を備えた携帯電話機」が周知となっている。
【０００４】
【発明が解決しようとする課題】
上述のように、インターネットを介して何かのホームページを見ているときに、別ページや他リンクを要求する指示を行うとしばらく時間がかかり、この状態において、ユーザはリンク先（アンカー）を指定した後に何もキー入力をしなければ、Ｘ秒以内に要求した次の画面が受信されない場合には、バックライトを消灯するという従来技術がある。
しかしながら、ユーザは待っている間に暇を持て余して、ついつい無駄なキー入力を行ってしまう。このため、キー入力を行う度にＸ秒のカウンタはリセットしてしまうこととなり、結局は次画面が受信されるまでの間、バックライトが点灯しっぱなしになってしまうことが多くあり、やはり結果的に電力を無駄に消費することになってしまっていた。
【０００５】
本発明は上記の点に鑑みてなされたもので、携帯電話機等の移動通信端末装置において、装置間の情報やデータ類の授受または送受信にあたり、ユーザの待ち時間が多くかかるようなときであっても、装置搭載のバッテリを確実にＯＦＦとすることができ、無駄に消耗させることがない省電力消費型の装置として寄与できる移動通信端末装置を提供することを目的とする。
【０００６】
【課題を解決するための手段】
前記課題を解決し、所望の目的を達成するために、本発明にかかる移動通信端末装置は、以下のように構成されるものである。
外部とデータ送受信を行う移動通信端末装置において、この装置は、送受信されるデータを含む情報の表示動作および／または照光動作を行う表示装置を備え、さらに、表示動作中の表示画面から別の表示画面へと変更する表示要求を外部に送出したとき、タイマが動作を開始し、その後のキー入力の有無にかかわらず所定時間経過すると表示装置の動作を停止させる表示装置制御手段を備え、
前記表示装置制御手段は、所定時間以内に要求したデータの受信が開始されたとき、前記タイマをリセットして、表示装置の動作を停止させない手段、を含んで構成される移動通信端末装置とした。
また、この表示装置は、ＬＣＤ(液晶表示画面)およびこのＬＣＤの照光装置とを含んで構成されることが好ましい。
【０００７】
【発明の実施の形態】
次に図１乃至図３を参照して、本発明による移動通信端末の実施の形態を詳細に説明する。ここで、図１は、本発明の一実施の形態としての携帯電話機を示す機能ブロック図であり、また、図２は、本発明にかかる携帯電話機により基地局とデータ送受信を行う状況を示すイメージ図であり、さらに、図３は、本発明にかかる携帯電話機において、電話機が備える表示装置の動作停止制御の流れを示すフローチャートである。
【０００８】
図１には、本発明による移動通信端末装置を携帯電話機に適用した一実施の形態を示す機能ブロック図が示されている。同図において、アンテナ１９が接続される送受信回路部１５は、この携帯電話機における送受信処理を、ＣＰＵを内蔵した制御部１０に制御されることにより行う回路である。すなわち、この送受信回路部１５は、音声メッセージや文字メッセージまたは各種情報や制御信号等を変調してアンテナ１９より送出したり、アンテナ１９より受信した音声メッセージや文字メッセージ、または各種情報や制御信号等を、復調して制御部１０に出力する。
【０００９】
制御部１０は、ＲＡＭ,ＲＯＭ等によるメモリ部１１と連携し、ここに記憶されたプログラムやデータに従って、キー入力部１６および送受信回路部１５からの制御信号により動作し、送受信回路部１５・表示部１２・およびスピーカー１７とマイク１８の動作を含む音声処理などを制御する。また、制御部１０はメモリ部１１に接続され、このメモリ部１１を記憶されたプログラムを実行するときのワークエリアとして使用することもできる。そして、このメモリ部１１では、メッセージセンタから受信した文字メッセージや文字パターン（英、数字も含む）／アイコン（図形）などのフォント情報を記憶し、さらに電話帳メモリとしても使用され、複数の電話番号および氏名等を記憶することもできる。
【００１０】
また、ＬＣＤ(液晶ディスプレー)等により構成される表示部１２は、制御部１０の制御に従って駆動され、画面表示を行う。この表示部１２では、制御部１０からの制御信号に対応する文字パターン（英、数字も含む）やアイコン（図形）パターンをメモリ部１１から読み出して、画面で表示することができる。そして、この表示部１２では、本発明による移動通信端末装置に関しては、送受信される情報データを含む情報類の表示を行うが、さらに、外部から取得されたデータを表示するまでの時間をもとにして、制御部１０から制御動作を行うように指令がなされて、それを実行する。
【００１１】
照光部１３は、キー押下時や着信時等に制御部１０によって点灯／消灯の制御がなされるが、点灯するとキー入力部１６および表示部１２を明るく照明するように設定がなされる。この照光部１３は、表示画面がＬＣＤ等であるとき、照光用の光源としては、通常バックライトまたはフロントライトと呼ばれているＬＥＤ等電子発光素子からなる照光装置が用いられる。さらに、この照光部１３は、ＬＣＤ等による表示画面を照光するのみならず、キー入力部１６を照光するように配設設定されて制御されるような構成とすることもできる。そして、この照光部１３では、本発明による移動通信端末装置に関しては、制御部１０から、照光する／照光しないのように照光動作を制御する指令がなされて、この照光部１３ではそれを実行する。
【００１２】
タイマカウンタ１４は、制御部１０と連携協働して動作し、自装置から外部に情報データの送信を求めた時点からの経過時間を計測する。得られた時間に関する情報は制御部１０へ送られ、制御部１０ではこれらの情報に基づいて、表示部１２の制御やメモリ部１１への記憶保管等を行う。
【００１３】
さて、図２は、本発明にかかる移動通信端末装置(携帯端末)により基地局とデータ送受信を行う状況を示すイメージ図である。この図２において、ユーザが自装置３０(携帯端末)でインターネットのホームページを閲覧中に、新たなリンク部分を選択することにより、基地局側の基地局サーバ４０へデータ取得のためのリクエストを行うとする。その後レスポンスがあり、所望のデータが何秒かの時間を経て、基地局アンテナ４１を介してユーザの自装置３０に送信されてくる。このとき、ＨＴＭＬ文書を送受信するための通信プロトコルＨＴＴＰを採用するとよい。そして、送信されてきたデータは自装置３０(携帯端末)に送信されるが、このデータはブラウザソフト部３３に取り込まれ、ＬＣＤ制御部３２を経て、ＬＣＤ３１上において画面表示がなされる。
【００１４】
図３は、本発明にかかる移動通信端末装置(携帯端末)において、この携帯端末が備えるＬＣＤの照光動作制御の流れを示すフローチャートである。この図３の内容を簡潔に示せば次のようになる。
ユーザが自装置を使用してインターネットのホームページの閲覧を行っている最中に、新たなリンク部分を選択することになり、基地局側のサーバへデータ取得のためのリクエストが行われた。このとき要求を行ってから画面データを取得するまでの時間をｔ（秒）とすると、「そのデータがＸ秒(経過時間)のうちにユーザの自装置に送信されてこなければ（ｔ＞Ｘ）ＬＣＤの照明(ここではバックライト)を消灯する」との設定にしておいたとしたなら、その後、自装置はそのとおりに動作が実行され、このバックライトはある時間の間は消灯させられる。また、その後にデータが基地局から送信されてきたときには、改めて点灯させるようにしてもよい。
【００１５】
本発明の装置で肝要なことは、アンカー（Ｗｅｂページ上に表示される他ページへのリンク先を示す文字列）の指定動作がなされ、次画面を要求すると、所望の画面を受信するまでの間は、他のキー入力の有無にかかわらず、所定時間のＸ秒が経過する（ｔ＞Ｘ）と、バックライトあるいはフロントライトあるいは表示部の表示をＯＦＦする、ということである。ここでは、タイマカウント後に他のキー入力が有ったとしても、ｔ秒経過後の表示ＯＦＦ状態がリセットまたは解除されることはなく、表示ＯＦＦ状態が維持される。よって、再び表示ＯＮ状態となることはない。
従来の技術では、表示ＯＦＦ状態であってもその後のキー入力によってリセット(解除)され、再び表示ＯＮ状態となってしまっていたものであり、本発明によればそのようなことはなく、装置が搭載するバッテリの浪費を確実に防ぐことができる。
また、本発明によれば、所定時間(Ｘ秒)以内に要求したデータが受信されたならば（ｔ≦Ｘ）、タイマをリセットして、表示装置の動作を停止させないように制御する機能をも備えている。
また、リンク先のアドレスが変更されていたり、無線通信状態の悪化により要求したデータが受信されずエラー表示を行うことがあるが、この場合には、タイマを停止して表示装置の動作を停止させないように制御する機能をも備えている。
さらに、データの要求を中止した際には、当然タイマを停止し、表示装置の動作を行う。
【００１６】
さて、図３のフローチャートを説明する。まず、ＬＣＤバックライト制御の動作を開始する（ステップ１００)と、ユーザが自装置でホームページ中のリンク部分（アンカー）選択を行う（ステップ１０１)。次に、自装置の「ブラウザソフト部３３」が「基地局サーバ４０」へホームページデータ取得のためのリクエスト発行を行う（GETメソッドやPOSTメソッド)（ステップ１０２)。それから、タイマカウンタ(ｔ)のリセットが行われ（ステップ１０３)、また、タイマカウンタ(ｔ)のカウントアップを、リアルタイムクロックを用いて開始する（ステップ１０４)。
すると、「基地局サーバ４０側のHTTPからの応答有り？」（ステップ１０５) 、に進むが、この自装置３０では、その後データがＸ秒来なければ（ｔ＞Ｘ）ＬＣＤ３１のバックライトを消灯する、という設定がなされている。ここでの待ち時間のＸ秒は、通常は１〜２秒程度とするのが適当であるが、ユーザらが適宜の時間値を選択できるように、数値を可変にする設定にすることもできる。
【００１７】
このステップ１０５において、「基地局サーバ４０側のHTTPからの応答がなし(Ｎｏ)」と判断されたときは、「ｔ＞Ｘ秒？」(ステップ１０６) に移行して、タイマカウンタ(ｔ)と設定時間Ｘ秒との比較が行われる。ここで「ｔ＞Ｘ秒」がYesであるとの判断がなされると、「タイマカウンタ(ｔ)のカウントアップは停止」(ステップ１０７)がなされて、「ＬＣＤ制御部３２によりＬＣＤ３１のバックライト消灯」(ステップ１０８)が実行される。
そしてここでは、その後の他のキー入力が有ったとしても、表示ＯＦＦ状態がリセットまたは解除されることはなく、表示ＯＦＦ状態が保持される。
【００１８】
一方、このステップ１０５において、「基地局サーバ４０側のHTTPからの応答が有り(Yes)」と判断されたときは、「LCD３１のバックライト点灯しているか？」(ステップ１０９) に進んで、Yesであるなら引き続きバックライトを点灯し続けて「応答内容をブラウザソフト部３３で解釈しＬＣＤ３１に表示」(ステップ１１１)となる。また、ステップ１０９でＮｏであっても、「ＬＣＤ制御部３２によりＬＣＤ３１のバックライト点灯」(ステップ１１０) に進んでバックライトを点灯し、結果的にはYesと同様に「応答内容をブラウザソフト部３３で解釈しＬＣＤ３１に表示」(ステップ１１１)となる。このステップ１１１以降は、「タイマカウンタ(ｔ)のカウントアップは停止」(ステップ１１２)となって、「終了」(ステップ１１３)となる。
このようにして、本発明によれば、所定時間(ｔ秒)以内に要求したデータが受信されたときは、タイマをリセットして、表示装置の動作を停止させないように制御することができる。
なお、本発明による上記の実施の形態では、表示部の制御の一例としてバックライトの点灯消灯を用いたが、これは当然フロントライトであってもよく、さらにはＬＣＤの表示自体を消す処理を行っても同様の効果を得ることができる。
【００１９】
本発明の実施の形態を含む移動通信端末装置によれば、次に述べるような優れた特徴がある。
受信データの待ち時間に対しての表示装置の動作制御、すなわち照光装置や表示画面の点灯／消灯を含む動作制御が可能となり、搭載バッテリの電力消費抑制に大いに寄与する。また、ユーザによる表示待ちの時間の設定も可能である。
また、表示装置の画面表示とその照光装置(バックライトまたはフロントライト)の動作制御のほか、他の照光装置例えば操作キー照光装置や着信ＬＥＤなどについても動作制御ができ、同じく電源消費を抑制することが可能となる。
そして、ユーザによるデータ待ち時間の設定も可能であり、照光装置や表示部の点灯／消灯が自在にできるので、必要な画面表示はＯＦＦとし、ダウンロード等による新たなページの画面表示があったときにはＯＮにするなどの設定が自在となり、バッテリの消費抑制や管理に大きく貢献する。
【００２０】
【発明の効果】
本発明による移動通信端末装置によれば、外部からのデータ受信にあたり、データ待ち時間中は、他のキー入力の有無にかかわらず、表示装置の画面表示停止または照光動作停止を実行できるので、表示ＯＦＦ状態での待ち時間中にキー入力が有ったとしても表示装置が動作せず、装置搭載バッテリーの無駄な消耗を確実に抑制させる省電力消費型の装置を提供することができる。
【図面の簡単な説明】
【図１】本発明の一実施の形態としての携帯電話機を示す機能ブロック図である。
【図２】本発明にかかる携帯電話機により基地局とデータ送受信を行う状況を示すイメージ図である。
【図３】本発明にかかる携帯電話機において、電話機が備える表示部(ＬＣＤ)の制御を実行する流れを示すフローチャートである。
【符号の説明】
１０    制御部
１１    メモリ部
１２    表示部
１３    照光部
１４    タイマカウンタ
１５    送受信回路部
１６    キー入力部
１７    スピーカー
１８    マイク
１９    アンテナ
【図１】
0004676084.tif 000002
【図２】
0004676084.tif 000003
【図３】
0004676084.tif 000004